(57)【特許請求の範囲】
【請求項１】
着用状態において上下方向及び横方向とそれらに交差する前後方向とを有し、肌当接面及びその反対側の非肌当接面と、前ウエスト域と、後ウエスト域と、前記前後ウエスト域間に位置するクロッチ域とを有する使い捨ておむつにおいて、
前記後ウエスト域は、前記肌当接面側に位置して前記横方向へ延びる帯状域と、前記非肌当接面側に位置し、前記横方向の中央部において前記帯状域と前記前後方向において対向するポケットを備えるポケット形成部とを有し、
前記ポケット形成部は、前記帯状域に固定された両側固定部と、前記両側固定部間において前記帯状域とつながる部分から上方へ延びるポケット内側域と、前記横方向へ延びる折曲部を介して前記ポケット内側域と前記前後方向において対向して前記クロッチ域側へ延びるポケット外側域とを有し、
前記帯状域は、前記横方向へ弾性的に伸縮可能であって、前記両側固定部間において、前記帯状域の収縮率が前記ポケット外側域の収縮率よりも大きいことを特徴とする前記おむつ。
【請求項２】
前記ポケット形成部は、前記ポケット内外側域の両側部から形成されたポケット両側域をさらに有し、前記ポケット両側域は前記帯状域が収縮することによって前記横方向の内側へ折れ曲がる請求項１に記載のおむつ。
【請求項３】
前記帯状域及び前記ポケット形成部は、前記後ウエスト域の前記上下方向における中央部よりも上側に位置する請求項１または２に記載のおむつ。
【請求項４】
前記帯状域の前記横方向における収縮率が、前記ポケット内外側域の前記横方向における収縮率よりも高い請求項１〜３のいずれかに記載のおむつ。
【請求項５】
前記帯状域の前記ポケット内側域と前記前後方向において対向する部分の
前記肌当接面側には、弾性伸縮性を有するシートが配置される請求項１〜４のいずれかに記載のおむつ。
【請求項６】
前記吸収体の上端部から前記折曲部まで延び、さらに前記折曲部から前記ポケット内側域の下端部へ向かって延びる不透液性シートをさらに有する請求項１〜５のいずれかに記載のおむつ。
【請求項７】
前記吸収体の上端部から前記折曲部へ向かって延び、かつ、前記横方向の寸法が前記ポケットの開口の前記横方向の寸法よりも大きい不透液性シートをさらに有する請求項１〜６のいずれかに記載のおむつ。
【請求項８】
前記クロッチ域から前記前後ウエスト域へ延びる吸収体をさらに有し、前記吸収体には、前記クロッチ域から前記後ウエスト域へ延びる誘導溝が形成される請求項１〜７のいずれかに記載のおむつ。
【請求項９】
前記帯状域は、前記上下方向において対向する上下端部を有し、前記下端部の収縮力が他の部分に比して高くなっている請求項１〜８のいずれかに記載のおむつ。
【発明の詳細な説明】
【技術分野】
【０００１】
本発明は、使い捨ておむつに関する。
【背景技術】
【０００２】
従来、排泄物を収容保持するためポケットを備えた使い捨ておむつは公知である。例えば、特許文献１には、クロッチ域を中心に配置された吸液構造体と、前後ウエスト域において肌対向面側に位置し、かつ、吸液構造体の前後端部を被覆するように横断する伸縮性シートとを有し、伸縮性シートと吸液構造体の前後端部との間には、排泄物を収容するためのポケットが画定された使い捨ておむつが開示されている。
【先行技術文献】
【特許文献】
【０００３】
【特許文献１】特開２００１−２５２３０３号公報
【発明の概要】
【発明が解決しようとする課題】
【０００４】
特許文献１に開示された発明に係る使い捨ておむつでは、前後ウエスト域においてクロッチ域へ向かって開口するポケットが画定されていることによって、前後ウエスト域へ移動した排泄物を収容、保持することができる。
【０００５】
しかし、おむつの着用状態において、前後ウエスト域がウエスト回り方向へ伸長されるのと連動して伸縮シートが伸長されるので、伸縮シートが吸液構造体の前後端部に密着するようにして着用者の身体にフィットされる。それにより、伸縮シートと前後端部との間に画定される収容ポケットの開口が閉じたような態様となり、排泄物がポケットに進入せず、伸縮シート上に移動して着用者の背面が汚れるおそれがある。かかる事態を避けるために後ウエスト域によるフィット性を低下させた場合には、ポケットは形成され易くなるが、フィット性の低下によって身体と後ウエスト域との間に隙間が形成されて、ポケット内ではなく、やはり伸縮シート上に排泄物が移動してしまうおそれがある。したがって、確実に後ウエスト域側へ移動した排泄物を収容でき、かつ、収容した排泄物を身体から離間させて肌に接触させないようなポケットが求められる。
【０００６】
本発明の課題は、従来のおむつの改良であって、後ウエスト域において、ウエスト開口側へ移動する排泄物を収容、保持し、かつ、排泄物が着用者の肌に触れるのを抑制することのできるポケットを備えた使い捨ておむつの提供にある。
【課題を解決するための手段】
【０００７】
前記課題を解決するために、本発明は、着用状態において上下方向及び横方向とそれらに交差する前後方向とを有し、肌当接面及びその反対側の非肌当接面と、前ウエスト域と、後ウエスト域と、前記前後ウエスト域間に位置するクロッチ域とを有する使い捨ておむつに関する。
【０００８】
本発明の使い捨ておむつは、前記後ウエスト域は、前記肌当接面側に位置して前記横方向へ延びる帯状域と、前記非肌当接面側に位置し、前記横方向の中央部において前記帯状域と前記前後方向において対向するポケットを備えるポケット形成部とを有し、前記ポケット形成部は、前記帯状域に固定された両側固定部と、前記両側固定部間において前記帯状域とつながる部分から上方へ延びるポケット内側域と、前記横方向へ延びる折曲部を介して前記ポケット内側域と前記前後方向において対向して前記クロッチ域側へ延びるポケット外側域とを有し、前記帯状域は、前記横方向へ弾性的に伸縮可能であって、前記両側固定部間において、前記帯状域の収縮率が前記ポケット外側域の収縮率よりも大きいことを特徴とする。
【発明の効果】
【０００９】
本発明に係る使い捨ておむつは、後ウエスト域において弾性的に伸縮可能に位置する帯状域とつながるポケット内側域と、それと前後方向において対向するポケット外側域とによって下方へ開口可能なポケットを備えるので、着用状態において帯状域が伸長されてもポケット開口が閉じることはなく、後ウエスト開口側へ移動する排泄物をポケット内に流入させて外部への漏れを防止することができるとともに、排泄物が肌に接触することによる不快感や肌トラブル等を避けることができる。
【図面の簡単な説明】
【００１０】
【図１】本発明に係る使い捨ておむつの背面図。
【図２】おむつの非着用状態における後ウエスト域を上方から視た図。
【図３】おむつの着用状態における背面側からの斜視図。
【図４】各弾性体をおむつの縦方向及び横方向に伸長させた状態における、おむつの一部破断展開図。
【図５】おむつの一部破断分解斜視図。
【図６】（ａ）ベースシートの展開平面図、（ｂ）ベースシートの折り畳み行程を示す図。（ｃ）ベースシートの折曲状態を示す図。
【図７】図１に示すＶＩＩ−ＶＩＩ線に沿う模式的断面図。
【図８】図３に示すＶＩＩＩ−ＶＩＩＩ線に沿う模式的断面図。
【図９】変形例１における図２と同様の図。
【図１０】変形例２における図７と同様の図。
【図１１】変形例３における図７と同様の図。
【図１２】変形例４における図７と同様の図。
【図１３】変形例５における図７と同様の図。
【発明を実施するための形態】
【００１１】
本発明の使い捨ておむつの一例として示すプルオンタイプ（パンツ型）のおむつ１０は、縦方向Ｙと、横方向Ｘと、それらに直交する厚さ方向（３次元）Ｚと、着用状態における上下方向とを有し、縦方向Ｙに沿って延び、その横方向Ｘの寸法を２等分する縦軸Ｐと、横方向Ｘへ沿って延び、その縦方向Ｙの寸法を２等分する横軸Ｑとを有する。なお、本明細書において、「おむつ１０の平面視において互いに重なる」とは、厚さ方向Ｚにおいて互いに重なることを意味する。
【００１２】
図１及び図４を参照すると、おむつ１０は、肌当接面及びそれに対向する非肌当接面と、ウエスト周り方向へ延びる環状の弾性ウエストパネル１１と、弾性ウエストパネル１１に接合される吸収シャーシ１２と、前ウエスト域１３と、後ウエスト域１４と、前後ウエスト域１３，１４の間に位置するクロッチ域１５とを含む。おむつ１０は、縦軸Ｐに関して対称に形成されており、弾性ウエストパネル１１は、前ウエスト域１３に位置する前ウエストパネル１７と、後ウエスト域１４に位置する後ウエストパネル１８とから構成される。吸収シャーシ１２は、前後端部１２Ａ，１２Ｂと、前後端部１２Ａ、１２Ｂ間に位置する中間部１２Ｃとを有し、前後端部１２Ａ、１２Ｂは、それぞれ、前後ウエストパネル１７，１８の非肌当接面（おむつ１０の外面）に取り付けられる。
【００１３】
前後ウエスト域１３，１４は、それぞれ、横方向Ｘへ延びる内端縁１３ａ，１４ａと、縦方向Ｙにおいて内端縁１３ａ，１４ａと離間対向して横方向Ｘへ延びる外端縁（前後ウエスト開口縁）１３ｂ，１４ｂと、内外端縁１３ａ，１３ｂ，１４ａ，１４ｂ間において縦方向Ｙへ延びる両側縁１３ｃ，１４ｃとによって画定された横長矩形状を有する。前ウエスト域１３の両側縁１３ｃのそれぞれと後ウエスト域１４の両側縁１４ｃとは、互いに重ね合わされて、縦方向Ｙへ断続的に配置されたサイドシーム１９によって連結されておむつ１０の両側縁部が形成され、ウエスト開口２１と一対のレッグ開口とが画定される。サイドシーム１９は、公知の接着手段、例えば、熱エンボス/デボス加工、ソニック加工等の各種公知の熱溶着手段によってなされる。
【００１４】
＜ポケット＞
図１〜図３、図８を参照すると、おむつ１０は、後ウエスト域１４のウエスト開口側において、肌当接面側に位置して横方向Ｘへ延びる帯状域２３と、後ウエスト域１４の横方向Ｘの中央部において、着用状態における前後方向において帯状域２３と対向するポケット３０を備えたポケット形成部２０とを有する。帯状域２３は、ポケット３０と前後方向において対向し、後ウエスト域１４の横方向の中央部に位置する中央部４１を有する。ポケット形成部２０は、吸収シャーシ１２の一部から形成されており、帯状域２３に固定された両側固定部４５と、両側固定部４５間において帯状域２３の中央部４１とつながる部分から上方へ延びるポケット内側域４２と、横方向Ｘへ延びる折曲部３３を介してポケット内側域４２と前後方向において対向してクロッチ域１５側へ延びるポケット外側域４３とを有する。両側固定部４５は、サイドシーム１９から横方向Ｘの内側へ延びており、そのため、ポケット３０はサイドシーム１９間において開口する大きさを有するものではなく、少なくとも、後ウエスト域１４の中央部において開口する程度の大きさを有する。
【００１５】
帯状域２３の中央部４１は、内外端部（上下端部）４１ａ，４１ｂを有し、ポケット内側域４２は中央部４１の内端部４１ａと折曲部３１を介してつながっている。帯状域２３とポケット３０とは、後ウエスト域１４のウエスト開口側に位置する。ここで、「後ウエスト域１４のウエスト開口側」とは、後ウエスト域１４の縦方向Ｙの寸法を２等分する線よりも外端縁１４ｂ側の領域を意味する。
【００１６】
帯状域２３は、後記の後上方ウエスト弾性体６４によって少なくとも横方向Ｘへの弾性が付与されている。図３を参照すると、本実施形態において、帯状域２３の中央部４１の横方向Ｘの寸法Ｗ１とポケット外側域４３の横方向Ｘの寸法Ｗ２とは、中央部４１が収縮されていない状態において同等であるところ、おむつ１０の非着用状態及び／又は着用状態において中央部４１が収縮していることによって、中央部４１の横方向Ｘの寸法Ｗ１は、ポケット外側域４３の横方向Ｘの寸法Ｗ２よりも小さくなっている。このように、寸法Ｗ１が寸法Ｗ２よりも小さくなることによって、中央部４１と連なるポケット内側域４２に複数のギャザー７８が形成されてその幅寸法が縮められて、ポケット外側域４３が着用者の身体から離間する方向へ移動する。したがって、ポケット３０は、下方向へ（横軸Ｑへ向かって）折り曲げられた折曲部３１と上方へ（ウエスト開口２１へ向かって）折り曲げられた折曲部３３とを有し、それらが互いに異なる方向へ折曲されていることによって、帯状域２３がウエスト周り方向へ伸長されたときに、ポケット内側域４２が帯状域２３に対して斜めに延びて、ポケット３０内部に排泄物を収容、保持するためのポケット空間Ｓが形成される。
【００１７】
＜弾性ウエストパネル＞
図４及び図５を参照すると、前ウエストパネル１７は、前ウエスト域１３の外形を画定する前ウエストシート５０を有する。前ウエストシート５０は、肌当接面側に位置する内面シート５１と、非肌当接面側に位置する外面シート５２と、両シート５１，５２間において横方向Ｘへ伸長状態で収縮可能に固定されたストリング状又はストランド状の複数条の前ウエスト弾性体５５とを有する。
【００１８】
後ウエストパネル１８は、肌当接面側に位置する内面シート６１と非肌当接面側に位置する外面シート６２とから構成された後ウエストシート６０と、内外面シート６１，６２間に伸長状態収縮可能に固定された、横方向Ｘへ延びる複数条のストリング状又はストランド状の後ウエスト弾性体６３，６４を有する。後ウエスト弾性体６３，６４は、クロッチ域１５側に位置する後下方ウエスト弾性体６３とウエスト開口側に位置する後上方ウエスト弾性体６４とを有する。後下方ウエスト弾性体６３は、横方向Ｘにおいて離間対向して配置されて一対の弾性域を形成しており、該一対の弾性域間には、非弾性域が画定される。非弾性域は、後記の吸収体８５の後端部と平面視において重なる。
【００１９】
＜吸収シャーシ＞
吸収シャーシ１２は、肌当接面側に位置し、透液性を有する繊維不織布製の身体側ライナ８４と、吸液性の吸収体８５と、吸収体８５の底面全体を被覆する不透液性のプラスチックフィルムから形成された防漏シート８６と、吸収シャーシ１２の非肌当接面全体を形成する不透液性又は難透液性の被覆シート８７とを含む。吸収体８５は、フラッフパルプと吸収性ポリマー粒子との混合物から形成された芯材と、芯材全体を被包するテッシュペーパ等から形成された液拡散性のコアラップシートとから構成される。
【００２０】
被覆シート８７は、防漏シート８６の両側縁の横方向Ｘの外側に位置する両側部を有する。両側部は、防漏シート８６の両側縁に隣接して縦方向Ｙへ延びる折曲ラインに沿って内方へ（吸収体８５側へ）折曲されて身体側ライナ８４に固定される。両側部は、身体側ライナ８４に固定される縦方向Ｙへ互いに離間する両端固定部と、身体側ライナ８４の両側縁部に固定される近位縁部と、両端固定部間において縦方向Ｙへ延び、かつ、近位縁部と並行して縦方向Ｙへ延びる遠位縁部（自由縁部）８８とを有する。遠位縁部８８は、被覆シート８７の外側縁部を折り曲げて固定することによって形成されたスリーブ状をなし、該縁部には縦方向Ｙへ延びる複数条のストリング状又はストランド状のカフ弾性体８９が伸長状態で収縮可能に配設される。カフ弾性体８９が収縮することによって、該縁部が身体側ライナ８４から着用者の身体側へ離間してバリアカフを形成し、着用者の大腿部にフィットして排泄物の漏れを防止する。また、被覆シート８７の両側部には、縦方向Ｙへ延びる複数条のストリング状又はストランド状のレッグ弾性体９０が伸長状態で収縮可能に固定される。
【００２１】
レッグ弾性体９０は、横方向Ｘにおいて所与寸法離間して配置された複数の弾性材料から形成されており、一定幅において弾性を有する弾性帯を形成するので、着用状態において着用者の脚周りに面状にフィットして排泄物の横漏れを効果的に防止しうる。また、レッグ弾性体９０の後端部は、後ウエスト域１４において後下方ウエスト弾性体６３と平面視において重なっている。レッグ弾性体９０の収縮力の作用するレッグ弾性域と後下方ウエスト弾性体６３の収縮力の作用するウエスト弾性域とが平面視において重なることによって、着用者の大腿部を囲む仮想の弾性帯が形成される。
【００２２】
図５及び図６（ａ）を参照すると、本実施形態において、ポケット形成部２０は、被覆シート８７のうちの吸収体８５の後端部からさらに縦方向Ｙの外側に延出する部分から形成される。ポケット形成部２０は、横方向Ｘへ延びる第１折曲線７１と第２折曲線７２とを有し、外端縁８７ｂと第２折曲線７２との間に位置する第１部分７４と、第１折曲線７１と第２折曲線７２との間に位置する第２部分７５と、第２折曲線７２の縦方向Ｙの内側に位置する第３部分７６とに区分される。
【００２３】
図６（ｂ）及び図６（ｃ）を参照すると、ポケット形成部２０は、第１折曲線７１に沿って第２部分７５の肌当接面と吸収体８５が配置された部分の肌当接面とが当接されるように折曲されるとともに、第２折曲線７２に沿って第１部分７４の非肌当接面側と第２部分７５の非肌当接面側とが互いに当接されるように折曲されることによって、断面略Ｚ字状に折曲される。
【００２４】
ポケット形成部２０は、かかる折曲状態が維持されるように、第２部分７５の肌当接面側と第３部分７６の肌当接面とが、それらの対向面のいずれか一方に塗布された接着剤等の公知の接合手段による一対の第１サイド接合域８１Ａを介して互いに接合される。第１サイド接合域８１Ａは、横方向Ｘにおいて互いに離間対向しており、第１サイド接合域８１Ａ間には、第２部分７５と第３部分７６とが接合されていない非接合域８１Ｂが位置する。また、ポケット形成部２０は、第１部分７４の非肌当接面側に塗布されたホットメルト接着剤からなる第２サイド接合域８２Ａを介して第２部分７５の非肌当接面側に固定される。第２サイド接合域８２Ａは、横方向Ｘにおいて離間対向しており、第２サイド接合域８２Ａ間には、非接合域８２Ｂが位置する。第１サイド接合域８１Ａと第２サイド接合域８２Ａとは、それらの横方向Ｘの寸法がほぼ同じであって、それらの間に位置する非接合域８１Ｂ，８２Ｂの横方向Ｘの寸法もほぼ同じであり、非接合域８１Ｂ，８２Ｂは、おむつ１０の平面視において互いに重なって位置する。第１及び第２サイド接合域８１Ａ，８２Ａの配置領域には、ポケット内外側域４２，４３の両側固定部４５が位置する。
【００２５】
図４を参照すると、このように、被覆シート８７のポケット形成部２０が折曲された状態で後ウエストパネル１８の外面に取り付けられることによって、第２部分７５の非接合域８２Ｂによってポケット内側域４２が形成され、第３部分７６の非接合域８１Ｂによって、吸収体８５の延長上に位置するポケット外側域４３が形成される。ポケット形成部２０を含む吸収シャーシ１２の後端部１２Ｂは、その肌対向面側に塗布されたホットメルト接着剤からなるクロッチ域１５側へ凹状の接合域８３を介して後ウエストパネル１８に取り付けられる。また、吸収シャーシ１２の前端部１２Ａは、その肌対向面側に塗布されたホットメルト接着剤からなるクロッチ域１５側へ向かって凹状の接合域８３を介して前ウエストパネル１７に取り付けられる。
【００２６】
本実施形態においては、後ウエストパネル１８に別体からなる被覆シート８７の一部を固定することによって、ポケット３０等を形成したが、本願発明の技術的な効果を奏する限りにおいて、後ウエストシート６０と被覆シート８７とを一体のシートで形成してもよいし、ポケット形成部２０を被覆シート８７と別体のシートで形成してもよい。また、ポケット形成部２０を弾性伸縮性を有する繊維不織布シートから形成してもよいし、その一部に弾性体を配置してもよい。したがって、本明細書において、例えば、「ポケット内側域４２が帯状域２３の中央部４１の内端部４１ａと折曲部３１を介してつながる」とは、中央部４１とポケット内側域４２とが同一のシート部材によって形成されて折曲部３１において折曲されている場合と、それらが別体のシート部材から形成されて、折曲部３１において両シート部材が連結されている場合とを含む。
【００２７】
通常、比較的に低月齢の乳幼児が排泄する流動性の高い軟便を処理する場合には、おむつ内で身体を汚すことなく、かつ、外部に漏れ出ることを防止するためにどのように収容するかが課題となる。特に、仰臥状態や横臥状態において、排泄物がウエスト開口から外部に漏れ出るのを防止するために、例えば、ウエスト弾性体の伸長応力を高めることも考えられるが、流動性の高い軟便の場合には、ウエスト弾性体によって形成されたギャザーの間を通過して外部に漏れ出るおそれがある。また、おむつ１０の着用中に、前ウエスト域１３においては、ウエスト開口部がずり下がったときに排泄物を収容させることのできるスペースが身体との間に形成されることも考えられるが、後ウエスト域１４においては、臀部が突出した外形を有することからかかる隙間が形成され難く、排泄物を一時的に、収容保持するためには、本実施形態に係るおむつ１０のように、着用状態において立体形状を呈するようなポケット空間Ｓを意図的に形成することが必要となる。
【００２８】
従来のおむつにおいて、このような課題を解決するために、前後ウエスト域及び／又はクロッチ域に下方向又は後方へ延びる収容スペースに排泄物を収容する構成は開示されているが、本実施形態のように、後ウエスト域の背面において下方へ（横軸Ｑへ向かって）開口して上方へ延びるポケット３０を備えるおむつ１０は公知ではない。
【００２９】
本実施形態においては、後ウエスト開口側に位置する帯状域２３が後上方ウエスト弾性体６４の伸長応力によって着用者の身体にフィットされるので、クロッチ域１５から後ウエスト開口側へ移動した排泄物の漏れが防止されるとともに、移動が阻止された排泄物が上方へ凸状に延びるポケット空間Ｓに流入して一時的に、収容、保持される。このように、身体から離間して位置するポケット空間Ｓに排泄物が収容されることによって、着用者の背側が排泄物によって汚れるおそれはない。また、ポケット３０は、後ウエスト域１４の伸縮によって開口が閉じされるおそれはなく、吸収体８５に吸収されなかったウエスト開口へ向かって流れる流動性の高い排泄物や尿をポケット空間Ｓに吸収されるので、吸収体８５の吸収容量以上の体液をおむつ１０内に収容することができるといえる。
【００３０】
ポケット３０を形成するポケット形成部２０の一部が後ウエストパネル１８に接合域８３を介して接合されており、接合域８３が平面視においてレッグ弾性体９０やカフ弾性体８９と平面視において重なっていない。したがって、それらの収縮によってポケット外側域４３にそれを下方へ引っ張ろうとする力が直接作用することはなく、折曲部３３の形状が崩れることはないので、ポケット外側域４３が下方へ引っ張られてポケット空間Ｓが消滅するおそれはない。
【００３１】
このように、ポケット３０が後ウエスト域１４の帯状域２３から離間するためには、ポケット内外側域４２，４３が互いに折曲部３３を介してつながっており、帯状域２３が横方向Ｘへ弾性的に伸縮可能であって、中央部４１の横方向Ｘの収縮量（横方向Ｘへの収縮寸法）と、ポケット内外側域４２,４３のうちの少なくともポケット外側域４３との横方向Ｘの収縮量（横方向Ｘへの収縮寸法）とにおいて寸法差があることが必要である。具体的には、帯状域２３は、ポケット内側域４２及びポケット外側域４３よりも横方向Ｘにおいて高い収縮率を有するものであって、ポケット内外側域４２,４３が実質的に弾性的に非伸縮性を有するか、または、それらが弾性伸縮性を有する場合には、その収縮力が帯状域２３の収縮力よりも低くなっている。
【００３２】
また、ポケット形成部２０のポケット外側域４３は、吸収体８５の延長上に位置している。比較的に肉厚かつ剛性の高い吸収体８５をポケット３０の開口縁部（折曲部３１）近傍まで延在させることによって、ポケット外側域４３の両側が下方に位置する吸収体８５の両側縁部によって横方向Ｘの外側へ張り出している。したがって、帯状域２３とポケット外側域４３との収縮差によってポケット３０が形成されるときに、吸収体８５の両側縁部の延長上に位置する部分を起点として折れ曲がるので、ポケット３０は安定的なボックス形状を呈する。
【００３３】
＜各領域の収縮率の測定方法＞
まず、おむつ１０の展開状態において、ポケット内側域４２と平面視において重なるポケット外側域４３と帯状域２３との積層領域（図２の太枠Ｋで囲んだ領域）を所定幅の大きさ（例えば、縦寸法１５ｍｍ×横寸法１００ｍｍ）で切り出してそれぞれサンプルとして、以下の手順により、各サンプルの寸法を測定した。ｉ）各サンプルの横方向Ｘにおいて対向する両端部のうちの一方端部を把持し、ｉｉ）他方端部にクリップと錘を取り付けて、各サンプルが捩じれることなく床面に対して垂直となるように吊持した。かかる状態において、弾性要素（弾性要素がない場合にはシートの所定箇所）の配置領域において横方向に離間対向する２カ所の部分にインク等でマークを付し、該マーク間の離間寸法を測定して、それを各サンプルの収縮時の寸法（Ｌ１）とした。なお、錘の重さは、各サンプルに配置された弾性要素が伸長されない程度のものであれば調整することが可能であって、本測定では、約５.０ｇの錘を用いた。ｉｉｉ）次に、各サンプルからクリップと錘を外して、表面に弾性要素によるギャザーがなくなるまで横方向Ｘへ伸長させた後、２カ所のマークの離間寸法を測定して、伸長時の寸法（Ｌ２）とした。かかる測定方法によって測定した寸法Ｌ１,Ｌ２を収縮率＝（（Ｌ２−Ｌ１）／Ｌ２）×１００（％）の算式に当てはめて各サンプルの収縮率（％）を算出した。
【００３４】
帯状域２３の中央部４１は、ポケット内側域４２とつながる内端部４１ａよりも下方へ（クロッチ域１５側へ）位置にする延出部８０を有する。ポケット３０が形成されて吸収シャーシ１２が身体から離間する方向へ移動することによって、着用者の背側に当接する当接領域の面積が減少してフィット性が低下するおそれがあるところ、折曲部３１から下方に延出部８０が延在することによって、該当接領域の一定面積が確保されてフィット性の低下を抑制することができる。また、延出部８０は、ポケット空間Ｓへ流入した排泄物が身体側へ移動（逆戻り）するのを防止する障壁としての機能を有する。
【００３５】
本実施形態においては、中央部４１の縦方向Ｙの寸法全域において、ほぼ均等に後上方ウエスト弾性体６４を配置している。後上方ウエスト弾性体６４の収縮力はほぼ一定であってもよいし、互いに異なるものであってもよい。例えば、内端部（下端部）４１ａの収縮力が外端部（上端部）４１ｂを含めた他の部分に比して高くなるように、内端部４１ａに配置された後上方ウエスト弾性体６４の収縮力を他の部分に配置された弾性体の収縮力よりも高くなるように調整することもできる。このように、内端部４１ａの収縮力を他の部分のそれよりも高くすることによって、すなわち、ポケット３０の開口縁部を形成する折曲部３１の収縮力を比較的に高くすることによって、ポケット３０の開口縁部を着用者の身体にフィットさせて、排泄物のウエスト開口側への移動を阻止することができる。
【００３６】
本実施形態においては、中央部４１は、ポケット３０を形成するポケット形成部２０と異なるシート部材から形成されている。このように、後ウエスト域１４のウエストバンドを形成する中央部４１と異なるシート部材によってポケット３０を形成する場合には、後ウエストパネル１８自体を折曲したり変形させたりする必要はなく、従来使用されているものを使用することができ、製造コストを抑えることができる。また、おむつ１０の製造時において機械方向へ移動する後ウエストパネル１８に他のシート部材を接合することによってポケットが形成されるので、特別な組立工程を要せず、製造工程が容易である。
【００３７】
図７を参照すると、ポケット内側域４２に連なる中央部４１の内端部４１ａは、後ウエスト域１４の中央部分１４Ｈよりも上側に位置している。したがって、中央部４１は、着用者の臀部における臀裂（割れ目）よりも上方において身体にフィットされるので、凹状の臀裂に当接される場合に比して中央部４１と身体との間に隙間が生じ難く、排泄物の漏れを効果的に抑制することができる。なお、図示していないが、前ウエスト域１３においても、尿を一時的に収容保持するために、後ウエスト域１４と同様に下方へ開口可能なポケットを配置してもよい。
【００３８】
＜変形例１＞
図９を参照すると、本変形例においては、ポケット内外側域４２，４３の横方向Ｘの寸法が、中央部４１の収縮時の横方向Ｘの寸法よりもさらに大きくなっており、ポケット形成部２０の両側においてたくれた部分が生じ、ポケット形成部２０は、ポケット内外側域４２，４３の両側部から形成されたポケット両側域３２をさらに有する。ポケット両側域３２は、帯状域２３が収縮することによって、横方向Ｘの内側へ向かって（縦軸Ｐへ向かって）展開可能に折れ曲がる。
【００３９】
ポケット両側域３２は、伸展可能に折り込まれる限りにおいて、意図せずに折曲された部分を含めて、横方向Ｘの内側へ向かって複数折曲されて、縦方向Ｙへ延びる折曲ラインが複数形成されていてもよい。ポケット両側域３２は、たくれて内方へ折り込まれているので、おむつ１０の非着用状態（中央部４１が収縮した状態）においては、ポケット内側域４２とポケット外側域４３とが互いに当接された状態となり、ポケット空間Ｓが形成されない。ポケット両側域３２を安定的に折り込んだ態様とするために、加圧加工及び／又は加熱加工によって縦方向Ｙへ延びる折曲線を付与してもよい。
【００４０】
比較的に低月齢の乳幼児は、授乳時や母親に抱きかかえられた体勢等の様々なシチュエーションで排便するので、たとえクロッチ域やウエスト域に一時的な排泄物の収容スペースなるポケットを設けたとしても、外圧や体圧によってポケットが押し潰され、それらから開放された後に、再びポケットを形成することは困難であった。
【００４１】
本変形例においては、着用者が仰臥状態であってポケット３０に着用者の体圧が掛かったときにおいても、ポケット両側域３２が折り込まれた態様を有して帯状域２３の中央部４１とポケット内側域４２とが互いに当接した状態となるので、後ウエスト域１４における部分的な厚みの変化によって生じる異物感を着用者に与えるおそれはない。また、ポケット両側域３２は、内方へ折り込まれた態様を有することによって、着用者の身体に接近離間する方向、すなわち、厚さ方向Ｚにおいて屈伸運動可能であるから、体圧から開放されたときに、ポケット両側域３２が身体から離間する方向Ｆへ起立して、再び立体的なポケット空間Ｓが形成される。このように、ポケット３０にそれを身体側へ押し付けようとする力が繰り返し作用した場合であっても、ポケット両側域３２の屈伸運動によってポケット３０が安定的に繰り返して立体形状を呈することができるので、頻繁に姿勢を変化させたり、頻度高い軟便を繰り返す低月齢の乳幼児が着用する場合であっても、軟便を確実にポケット空間Ｓに収容することができる。また、本実施形態においては、既述のとおり、ポケット内側域４２は、所要の縦方向Ｙの寸法を有することから、ポケット両側域３２が起立することによって中央部４１に対して傾斜して後方へ移動し、ポケット３０の天面としての役割を果たし得るので、天面及びポケットの両側域側の折曲構造を有しない態様に比して、より多くの排泄物を収容することができる。
【００４２】
また、本変形例に係るおむつ１０は、非着用状態において、ポケット３０のポケット両側域３２が横方向Ｘの内側へ向かって断面略Ｖ字状に折り込まれた態様を有する。このように、非着用状態においては、ポケット両側域３２が折り込まれて帯状域２３の中央部４１とポケット内側域４２とが当接した態様となることによって、後ウエスト域１４全体がよりコンパクトになって、厚さ方向Ｚの寸法が着用状態に比べて小さくなるので、複数のおむつ１０の収納性及び運搬時の利便性に優れる。なお、図示していないが、ポケット両側域３２を伸展可能により安定的に折曲するために、ポケット内側域４２及び両側固定部４５に横方向Ｘへ一連に延びるポケット弾性体を配置してもよい。
【００４３】
＜変形例２＞
図１０を参照すると、本変形例に係るおむつ１０おいては、帯状域２３の中央部４１の肌当接面側には、弾性伸縮性を有する後補助シート５８が配置されている。後補助シート５８は、例えば、所要の柔軟性を有するエストマー繊維含む伸縮性繊維不織布等の比較的に嵩高であって、かつ、クッション性に優れたシート部材から形成される。中央部４１をストリング状又はストランド状の後上方ウエスト弾性体６４による収縮力によってのみ身体にフィットさせる場合には、身体の漏れの原因となるような比較的に大きなギャザーが形成されるおそれがあるところ、中央部４１の肌当接面側に伸縮性繊維不織布製の後補助シート５８を配置することによって、肌触りが向上するだけではなく、表面に弾性シート特有の比較的に小さなギャザーが形成されるので、ギャザーに沿って軟便がウエスト開口から外部に漏れ出るのを防止しうる。
【００４４】
また、後ウエスト域１４のフィット性を向上させるために、後上方ウエスト弾性体６４の収縮力を比較的に高くした場合であっても、肌当接面側に位置する後補助シート５８がクッション機能を発揮して身体にギャザー痕を付けるおそれはない。図示していないが、前ウエスト域１３の肌当接面側においても、伸縮性繊維不織布から形成された前補助シートを配置してもよい。このように、前後ウエスト域１３，１４の肌当接面側に弾性繊維不織布から形成された前後補助シートを配置することによって、おむつ１０全体の肌当たりが向上して、着用感に優れる。
【００４５】
＜変形例３＞
図１１を参照すると、本変形例においては、後ウエスト域１４において、吸収体８５には、クロッチ域１５から後ウエスト域１４へ向かって延びる凹状の誘導溝９５が形成されている。ポケット３０の開口付近に体圧等のそれを変形させようとする力が作用したり、延出部８０によって開口の一部が塞がってポケット空間Ｓ内への排泄物の流入がし難くなったりした場合であっても、吸収体８５上に排泄された軟便が誘導溝９５に沿ってポケット空間Ｓへ誘導されるので、排泄物をポケット空間Ｓに収容、保持することができる。排泄物をポケット空間Ｓへ誘導しやすくするために、誘導溝９５は、後ウエスト域１４のサイドシーム１９間に位置する後ウエスト弾性体６３,６４よりもクロッチ域１５側の位置から後ウエスト域１４へ向かって延びていることが好ましく、必ずしも吸収体８５の後端縁まで延在していなくてもよい。また、誘導溝９５において吸収体８５が肉薄になることによって、その上方に位置するポケット形成部２０の下端部との間の段差が小さくなることによって、より排泄物がポケット空間Ｓ内へ流入されやすくなるといえる。本変形例において、誘導溝９５は、吸収体８５を部分的に圧縮又は取り除くことによって、他の部分に比して肉薄になっている有底であるが、吸収体８５を部分的に完全に除去したスリット状であってもよい。また、長さ寸法や幅寸法の異なる複数の誘導溝９５が吸収体８５の上端部に形成されていてもよい。
【００４６】
＜変形例４＞
図１２を参照すると、本変形例においては、帯状域２３のうちの少なくとも中央部４１において、ポケット形成部２０の折曲部３１よりも上方に位置する部分は、不透液性シート９６が配置される。不透液性シート９６は、好ましくは透湿性を有する不透液性のプラスチックフィルや繊維不織布から形成されたものであって、後ウエストシート６０を形成する内面シート６１と外面シート６２との間に配置される。帯状域２３の該部分に不透液性シート９６が配置されることによって、ウエスト開口側へ移動してポケット空間Ｓへ流入されずに帯状域２３へ進入した体液が外部に漏れるのを効果的に防止しうる。
【００４７】
＜変形例５＞
図１３を参照すると、本変形例においては、防漏シート８６がポケット外側域４３から折曲部３３へ延び、さらに、折曲部３３からポケット内側域４２へ延びている。繊維不織布からなるベースシート７０のみでは、流動性の高い軟便を十分に保持することができず、その外面に滲出するおそれがあるところ、不透液性の防漏シート８６の後端部８６ａがポケット３０内に位置することによって防漏性に優れ、かかる軟便の滲出を防ぐことができる。また、防漏シート８６は、ポケット３０のポケット開口の横方向Ｘの寸法よりも大きな横方向Ｘの寸法を有する。したがって、ポケット開口からポケット空間内Ｓへ進入する排泄物の滲出を効果的に防止しうる。
【００４８】
本発明のおむつ１０を構成する各構成材料には、特に記述がなされている場合を除き、この種の分野において通常用いられている、各種の公知の材料を制限なく用いることができる。また、おむつ１０の基本構造として、本明細書においては、前後ウエスト域１３，１４が別体の前後ウエストパネル１７，１８から形成されるものを例示したが、前後ウエスト域１３，１４及びクロッチ域１５とが連続するパネルによって形成された構成であってもよいし、前後ウエスト域１３，１４の両側縁部が予め連結されたプルオン型ではなく、それらをテープファスナで連結するオープン型のおむつであってもよい。また、本明細書において使用されている「第１」〜「第３」等の用語は、同様の要素、位置等を単に区別するために用いてある。さらに、本発明は、図面において明示していないが、各変形例において示した複数の特徴構成どうしを組み合わせる実施態様を含むものである。
【００４９】
以上に記載した本発明に関する開示は、少なくとも下記事項に整理することができる。
着用状態において上下方向及び横方向とそれらに交差する前後方向とを有し、肌当接面及びその反対側の非肌当接面と、前ウエスト域と、後ウエスト域と、前記前後ウエスト域間に位置するクロッチ域とを有する使い捨ておむつにおいて、
前記後ウエスト域は、前記肌当接面側に位置して前記横方向へ延びる帯状域と、前記非肌当接面側に位置し、前記横方向の中央部において前記帯状域と前記前後方向において対向するポケットを備えるポケット形成部とを有し、
前記ポケット形成部は、前記帯状域に固定された両側固定部と、前記両側固定部間において前記帯状域とつながる部分から上方へ延びるポケット内側域と、前記横方向へ延びる折曲部を介して前記ポケット内側域と前記前後方向において対向して前記クロッチ域側へ延びるポケット外側域とを有し、
前記帯状域は、前記横方向へ弾性的に伸縮可能であって、前記両側固定部間において、前記帯状域の収縮率が前記ポケット外側域の収縮率よりも大きい。
【００５０】
上記段落００４９に開示した本発明に係る使い捨ておむつは、少なくとも下記の実施の形態を含むことができる。
（１）前記ポケット形成部は、前記ポケット内外側域の両側部から形成されたポケット両側域をさらに有し、前記ポケット両側域は前記帯状域が収縮することによって前記横方向の内側へ折れ曲がる。
（２）前記帯状域及び前記ポケット形成部は、前記後ウエスト域の前記上下方向における中央部よりも上側に位置する。
（３）前記帯状域の前記横方向における収縮率が、前記ポケット内外側域の前記横方向における収縮率よりも高い。
（４）前記帯状域の前記ポケット内側域と前記前後方向において対向する部分の前記肌当接面側には、弾性伸縮性を有するシートが配置される。
（５）前記吸収体の上端部から前記折曲部まで延び、さらに前記折曲部から前記ポケット内側域の下端部へ向かって延びる不透液性シートをさらに有する。
（６）前記吸収体の上端部から前記折曲部へ向かって延び、かつ、前記横方向の寸法が前記ポケットの開口の前記横方向の寸法よりも大きい不透液性シートをさらに有する。
（７）前記クロッチ域から前記前後ウエスト域へ延びる吸収体をさらに有し、前記吸収体には、前記クロッチ域から前記後ウエスト域へ延びる誘導溝が形成される。
（８）前記帯状域は、前記上下方向において対向する上下端部を有し、前記下端部の収縮力が他の部分に比して高くなっている。
【符号の説明】
【００５１】
１０  使い捨ておむつ
１３  前ウエスト域
１４  後ウエスト域
１４Ｈ  後ウエスト域の上下方向における中央部
１５  クロッチ域
２０  ポケット形成部
２３  帯状域
３０  ポケット
３２  ポケット両側域
３３  折曲部
４１  帯状域の中央部
４１ａ  帯状域の中央部の内端部（下端部）
４１ｂ  帯状域の中央部の外端部（上端部）
４２  ポケット内側域
４３  ポケット外側域
４５  ポケットの両側固定部
５８  後補助シート
８５  吸収体
８６  防漏シート
８６ａ  防漏シートの後端部（上端部）
９５  誘導溝
Ｘ  横方向
Ｙ  縦方向
【要約】
【課題】後ウエスト域において、ウエスト開口側へ移動する排泄物を収容、保持し、かつ、排泄物が着用者の肌に触れるのを抑制することのできるポケットを備えた使い捨ておむつの提供。
【解決手段】後ウエスト域１４は、肌当接面側に位置して横方向Ｘへ延びる帯状域２３と、非肌当接面側に位置し、横方向Ｘの中央部において帯状域２３と前後方向において対向するポケット３０を備えるポケット形成部２０とを有する。ポケット形成部２０は、帯状域２３に固定された両側固定部４５と、両側固定部４５間において帯状域２３とつながる部分から上方へ延びるポケット内側域４２と、横方向Ｘへ延びる折曲部３３を介してポケット内側域４２と前後方向において対向してクロッチ域１５側へ延びるポケット外側域４３とを有する。帯状域２３は、横方向Ｘへ弾性的に伸縮可能であって、両側固定部４５間において、帯状域２３の収縮率がポケット外側域４３の収縮率よりも大きくなっている。
【選択図】図３【図１】
0005832619.tif 000002
【図２】
0005832619.tif 000003
【図３】
0005832619.tif 000004
【図４】
0005832619.tif 000005
【図５】
0005832619.tif 000006
【図６】
0005832619.tif 000007
【図７】
0005832619.tif 000008
【図８】
0005832619.tif 000009
【図９】
0005832619.tif 000010
【図１０】
0005832619.tif 000011
【図１１】
0005832619.tif 000012
【図１２】
0005832619.tif 000013
【図１３】
0005832619.tif 000014